(57)【要約】【課題】筺体の内部に収容された放電ランプと、凹面反射鏡と、該反射鏡からの光を受光する光ファイバとからなる光ファイバ光源装置において、ランプユニットを簡単な操作によって光軸を正確に一致させて取り付けることができるようにした構造を提供することである。【解決手段】放電ランプが固定された凹面反射鏡が、略矩形状のフランジ部を有する保持部材に保持され、前記フランジ部の側辺には、規制凹部が形成され、光軸に対して直交方向のガイドに前記フランジ部が摺動自在に係合され、前記ガイドには、前記フランジの規制凹部に向かって付勢力をもって押圧される押圧部材が設けられていることを特徴とする。【選択図】  図４
2013026056.tif 000002
【特許請求の範囲】
【請求項１】
筺体と、該筺体の内部に収容された放電ランプと、放電ランプを保持する凹面反射鏡と、該反射鏡からの光を受光する光ファイバとからなる光ファイバ光源装置において、
前記放電ランプが固定された凹面反射鏡は、前面に略矩形状のフランジ部を有する保持部材に保持され、
前記フランジ部の側辺には、規制凹部が形成され、
前記筺体には、前記光軸に対して直交方向のガイドが設けられていて、前記保持部材のフランジ部が該ガイドに摺動自在に係合され、
前記ガイドには、前記フランジの規制凹部に向かって付勢力をもって押圧される押圧部材が設けられている、
ことを特徴とする光ファイバ光源装置。
【請求項２】
前記ガイドには、垂直方向のガイド溝が形成され、前記保持部材のフランジ部が該ガイド溝に係合挿入されていることを特徴とする請求項１に記載の光ファイバ光源装置。
【請求項３】
前記規制凹部が、光軸方向に沿って形成されたＶ字状溝であることを特徴とする請求項１または２に記載の光ファイバ光源装置。
【請求項４】
前記押圧部材はボールプランジャーよりなることを特徴とする請求項１または２に記載の光ファイバ光源装置。
【発明の詳細な説明】
【技術分野】
【０００１】
この発明は、放電ランプを光源として光ファイバより光を照射する光ファイバ光源装置に関し、特に、放電ランプが組み込まれた凹面反射鏡を有する光ファイバ光源装置に係わるものである。
【背景技術】
【０００２】
従来から、放電ランプからの放射光を凹面反射鏡によって集光して、これを光ファイバによって外部に導き、被照射物に照射する光ファイバ光源装置が知られている。例えば、特開２０１０−０４０３４０号公報（特許文献１）がこれである。
この公知技術の概略が図６に示されている。
筺体３０の内部には、放電ランプ３２と、この放電ランプ３２からの光を集光する凹面反射鏡３３とからなる光源３１が配置されている。
該光源３１の出射側、すなわち前記凹面反射鏡３３の開口側には導光部３４が配置されており、この導光部３４の出射側には光ファイバ３５の受光端部３５ａが配置されている。
前記凹面反射鏡３３と、前記導光部３４と、前記光ファイバ３５の受光端部３５ａは光軸が一致するように配置されており、前記放電ランプ３２から出た光は、凹面反射鏡３３によって集光され、導光部３４を経て光ファイバ３５の受光端部３５ａに入射される。
【０００３】
ところで、かかる光源装置に用いられる放電ランプは寿命がくると交換する必要があり、その交換作業を簡便にするために放電ランプと凹面反射鏡とをセットで交換することが行われている。これにより、筐体に設けた開閉扉を開くことにより、放電ランプと凹面反射鏡とを取り出し、筐体の外部で凹面反射鏡から放電ランプを取り外すことができるので、その交換が容易に行えるものである。
ところが、ランプと反射鏡とのプリセットによって、これら両者の光軸は一致したものが得られるものの、ランプ交換作業を繰り返すと、交換ランプの光軸と、導光部およびファイバ受光端の光軸にずれが生じてしまい、ファイバから照射される照明光の照度が低下するという事態が生じている。
【０００４】
この種の光ファイバ光源装置では、凹面反射鏡の第２焦点がファイバ受光部端面になるように設定しているが、ランプを交換するたびにランプ及び反射鏡の位置ズレが発生し、それによって反射鏡の第２焦点の位置もずれてしまい、ファイバへの集光効率の低下が原因となっている。
光ファイバは非常に細く、この光ファイバの受光端面にちょうど凹面反射鏡の第２焦点を位置させるには、精度良く位置決めをする必要がある。それも、ランプ交換を行う作業者が、その位置決めに神経を使うことなく、簡便に精度良く取り付けを行うことが求められている。
【先行技術文献】
【特許文献】
【０００５】
【特許文献１】特開２０１０−０４０３４０号公報
【発明の概要】
【発明が解決しようとする課題】
【０００６】
この発明が解決しようとする課題は、筺体と、該筺体の内部に収容された放電ランプと、放電ランプを保持する凹面反射鏡と、該反射鏡からの光を受光する光ファイバとからなる光ファイバ光源装置において、放電ランプが組み込まれた反射鏡を筺体に取り付ける際に、該反射鏡と、光ファイバとが簡便に精確に位置決めされるようにした構造を提供するものである。
【課題を解決するための手段】
【０００７】
上記課題を解決するために、この発明に係る光ファイバ光源装置は、前記放電ランプが固定された凹面反射鏡は、前面に略矩形状フランジ部を有する保持部材に保持され、該フランジ部の側辺には規制凹部が形成され、前記筺体には、前記光軸に対して直交方向のガイドが設けられていて、前記保持部材のフランジ部が該ガイドに摺動自在に係合され、前記ガイドには、前記フランジ部の規制凹部に向かって付勢力をもって押圧される押圧部材が設けられていることを特徴とする。
【発明の効果】
【０００８】
この発明の光ファイバ光源装置によれば、放電ランプが組み込まれた凹面反射鏡を筺体に取り付ける際に、該反射鏡が保持された保持部材のフランジ部を前記筺体に設けたガイドに係合するという簡単な作業のみで、放電ランプと、光ファイバとを精確に位置決めすることができて、放電ランプからの光が極めて効率的に光ファイバに導入されるものである。
【図面の簡単な説明】
【０００９】
【図１】本発明の光ファイバ光源装置の全体概略図。
【図２】本発明の光ファイバ光源装置のランプユニットの説明図。
【図３】規制凹部を示す斜視図。
【図４】ランプユニットを筺体に組み込んだ説明図。
【図５】ランプユニットをガイドに組み込む時の説明図。
【図６】従来の光源装置の断面図。
【発明を実施するための形態】
【００１０】
図１において、ハウジング１内には、ランプユニット２と、円筒状の導光部３と、光ファイバ４の受光端部４ａが取り付けられている。該ランプユニット２は、ハウジング１の開閉扉５を開閉して、ハウジング１から取り外して外部に取出すことができる。該ランプユニット２の下方には冷却ファン６が設けられていて、ランプを冷却している。また、前記ハウジング１の下部には電装部７が配置されている。
【００１１】
図２にランプユニット２の構造が示されていて、図２（Ａ）は水平断面図、図２（Ｂ）はその横断面図、図２（Ｃ）はその正面図である。
図２において、放電ランプ２１は凹面反射鏡２２に取り付けられている。該反射鏡２２は、略矩形状のフランジ部２４を有する保持部材２３に取り付けられていて、該フランジ部２４の一垂直側辺２４ａには規制凹部２５が形成されている。
図３に前記規制凹部２５の具体例が示されていて、図３（Ａ）に示されるものは、該規制凹部２５が、垂直側辺２４ａに光軸方向に沿うように形成されたＶ字状溝２５ａからなり、図３（Ｂ）に示されるものは、円錐形孔２５ｂからなるものである。
なお、上記規制凹部２５の形状は上記に限られず、角錐形孔などの種々の変形を採用できる。
【００１２】
図４には、前記ランプユニット２を筐体８に取り付けた構造が示されている。図４（Ａ）は水平断面図であり、図４（Ｂ）はその横断面図である。
筐体８には、垂直方向に一対のガイド１０が取り付けられていて、該ガイド１０には、ガイド溝１１形成されている。前記放電ランプ２１が装着された反射鏡２２が取り付けられた保持部材２３のフランジ部２４が、該ガイド１０のガイド溝１１内に垂直方向に挿入されている。
【００１３】
上記ランプユニット２の取り付け操作の詳細が図５に示されている。
図５（Ａ）は上面図、図５（Ｂ）は取り付け時の正面図、図５（Ｃ）は取り付け完了時の正面図である。
図５（Ｂ）（Ｃ）に示されるように、前記筐体８に設けられた一対のガイド１０の一方のガイド１０ａには、バネ付勢された押圧部材２６が設けられている。該押圧部材２６は、例えばボールプランジャーなどからなる。
図５（Ａ）（Ｂ）に示されるように、前記一対のガイド１０のガイド溝１１内に、ランプユニット２を取り付けた保持部材２３のフランジ部２４が上方から挿入される。
このフランジ部２４がガイド１０内を上方から下降していくと、一方のガイド１０ａに設けた押圧部材２６を押し下げるように通過して、フランジ部２４の下側辺が下方に到達すると、押圧部材２６が、垂直側辺２４ａに形成された規制凹部２５内に侵入係合してランプユニット２を固定する。このとき、フランジ部２４は、押圧部材２６によって規制凹部２５が形成された側辺２４ａとは反対側の側辺２４ｂが、反対側のガイド１０ｂに押圧当接されて位置決めされる。
【００１４】
なお、上記実施例においては、ガイド１０に垂直方向のガイド溝１１を形成してフランジ部２４を摺動自在に挿入する構造としたが、ガイド１０に垂直方向の凸条を形成し、フランジ部２４に凹溝を形成して、前記ガイド１０の凸条を該凹溝内に嵌合して摺動させるものであってもよい。
また、ガイド１０を垂直方向に設けて、保持部材２３のフランジ部２４を垂直方向に係合させる構成を説明したが、ガイドを水平方向として、フランジ部を前記ガイドに対して水平に摺動させるようにしてもよい。その場合、水平方向の上方のフランジ部に規制凹部を形成して、これに対応する上方のガイドに押圧部材を設けるようにするのが好適である。
【００１５】
以上説明したように、本発明に係る光ファイバ光源装置は、放電ランプが固定された凹面反射鏡が、前面に略矩形状のフランジ部を有する保持部材に保持され、前記フランジ部の側辺には、規制凹部が形成され、筺体には、光軸に対して直交方向のガイドが設けられていて、前記保持部材のフランジ部が該ガイドに摺動自在に係合され、前記ガイドには、前記フランジの規制凹部に向かって付勢力をもって押圧される押圧部材が設けられている構成としたことにより、ランプユニットのフランジ部をガイドに係合させて摺動するという簡単な操作によって、反射鏡と光ファイバとの光軸を精確に一致させることができるという効果を奏する。
しかも、その操作に格別な技量とか熟練性が必要ではなく、作業者が簡便な操作で光軸を一致させた取り付けができる。
【符号の説明】
【００１６】
１          ハウジング
２          ランプユニット
２１        高圧放電ランプ
２２        凹面反射鏡
２３        保持部材
２４        フランジ部
２５        規制凹部
２５ａ      Ｖ字状溝
２５ｂ      円錐形孔
２６        押圧部材
３          導光部
４          光ファイバ
４ａ        受光端部
１０        ガイド
１１        ガイド溝
【図１】
2013026056.tif 000003
【図２】
2013026056.tif 000004
【図３】
2013026056.tif 000005
【図４】
2013026056.tif 000006
【図５】
2013026056.tif 000007
【図６】
2013026056.tif 000008